(57)【要約】【課題】コンパクトで、施工及びメンテナンスを容易に行なうことができる洗浄水供給装置を提供する。【解決手段】洗浄水供給装置１０１は、導水管１０と、導水管１０を開閉する第１開閉弁Ｖ１とを備え、洗浄水を便器本体１の便鉢２に供給する。また、洗浄水供給装置１０１は、第１開閉弁Ｖ１より下流側で導水管１０に流入口２１が連通し、貯留した洗浄水を流出口２２から流出可能であり、流入口２１と流出口２２とが上面に形成されたタンク２０と、タンク２０に貯留された洗浄水を便鉢２に送り出す送水手段と、送水手段を制御する制御装置Ｃとをさらに備えている。【選択図】図１
2008223356.tif 000002
【特許請求の範囲】
【請求項１】
導水管と、該導水管を開閉する第１開閉弁とを備え、洗浄水を便器本体の便鉢に供給する洗浄水供給装置において、
前記第１開閉弁より下流側で前記導水管に流入口が連通し、貯留した洗浄水を流出口から流出可能であり、該流入口と該流出口とが上面に形成されたタンクと、
該タンクに貯留された洗浄水を前記便鉢に送り出す送水手段と、
該送水手段を制御する制御手段とをさらに備えていることを特徴とする洗浄水供給装置。
【請求項２】
前記タンクは、前記流入口と連通する流入室と、該流入室と底部で連通された流出室と、該流入室に連通する大気口とを有し、
前記送水手段は、前記第1開閉弁と、該第１開閉弁より下流側で前記導水管に導入口が接続され、該タンクの該流入口に接続された導出口から洗浄水を導出することにより、外部に連通する吸気口から空気を吸引するエゼクタと、該大気口を開閉する第２開閉弁と、該流出口と前記便鉢とを連通する送出管とを有し、
前記制御手段は該第１開閉弁及び該第２開閉弁を制御する請求項１記載の洗浄水供給装置。
【請求項３】
前記大気口は前記タンクの上面に形成されている請求項２記載の洗浄水供給装置。
【請求項４】
前記タンクは、容器状のタンク本体と、該タンク本体を上方から密閉する蓋部材とを有し、該蓋部材に前記流入口、前記流出口及び前記大気口が形成されている請求項３記載の洗浄水供給装置。
【請求項５】
前記タンクは、前記便鉢の後方かつ該便鉢の上面より下方に配置されている請求項１乃至４いずれか１項記載の洗浄水供給装置。
【発明の詳細な説明】
【技術分野】
【０００１】
本発明は洗浄水供給装置に関する。
【背景技術】
【０００２】
特許文献１の図１に従来の洗浄水供給装置が開示されている。この洗浄水供給装置は、水道管と接続される導水管と、導水管を開閉する第１開閉弁と、この第１開閉弁より上流側で導水管から分岐した分岐導水管とを備えている。また、この洗浄水供給装置は、分岐導水管に流入口が接続され、貯留した洗浄水を流出口から流出可能であり、流入口と流出口とが上部に形成された蓄圧タンクと、蓄圧タンクの流出口の下流側に連通された送出管と、この送出管を開閉する第２開閉弁と、第１及び第２開閉弁を制御する制御手段とを備えている。
【０００３】
このような構成である従来の洗浄水供給装置は、洗浄水を蓄圧タンクに蓄圧し、その蓄圧水をジェット孔及びリムに供給するため、十分な水量及び水勢を有する洗浄水をジェット孔及びリムに供給することができる。
【０００４】
【特許文献１】特開２００６−７０６１７号公報
【発明の開示】
【発明が解決しようとする課題】
【０００５】
しかし、上記従来の洗浄水供給装置では、蓄圧タンクが第１及び第２開閉弁より上流側に配置されているため、蓄圧タンクには静水時の水道水圧がかかる。このため、蓄圧タンクは静水時の水道水圧に耐え得る耐圧性能を有するものにされなければならない。また、蓄圧タンクの流入口及び流出口と、分岐導水管との接続部分も静水時の水道水圧に耐え得るように強固にしなければならない。また、導水管から直接便器本体の便鉢に洗浄水を供給する供給路とは別に、分岐導水管に設けられた蓄圧タンクを介して便鉢に洗浄水を供給する供給路を有している。このため、この洗浄水供給装置は、小型化が困難であり、施工及びメンテナンスに手間を要する。
【０００６】
本発明は、上記従来の実情に鑑みてなされたものであって、コンパクトで、施工及びメンテナンスを容易に行なうことができる洗浄水供給装置を提供することを解決すべき課題としている。
【課題を解決するための手段】
【０００７】
本発明の洗浄水供給装置は、導水管と、該導水管を開閉する第１開閉弁とを備え、洗浄水を便器本体の便鉢に供給する洗浄水供給装置において、
前記第１開閉弁より下流側で前記導水管に流入口が連通し、貯留した洗浄水を流出口から流出可能であり、該流入口と該流出口とが上面に形成されたタンクと、
該タンクに貯留された洗浄水を前記便鉢に送り出す送水手段と、
該送水手段を制御する制御手段とをさらに備えていることを特徴とする。
【０００８】
このような構成である本発明の洗浄水供給装置では、タンクが導水管を開閉する第１開閉弁より下流側に連通されているため、タンクに静水時の水道水圧がかからない。このため、タンクを耐圧性能の高いものにする必要がない。また、タンクの流入口及び流出口に導水管を接続する際も強固に接続する必要がない。また、タンクの上面に流入口と流出口とが形成されているため、タンク上方から導水管及び送水手段を容易に接続することができる。また、便鉢に洗浄水を供給する供給路は、導水管からタンク及び送水手段を介して供給する供給路のみである。
【０００９】
したがって、本発明の洗浄水供給装置は、コンパクトで、施工及びメンテナンスを容易に行なうことができる。
【００１０】
本発明の洗浄水供給装置において、タンクは、流入口と連通する流入室と、流入室と底部で連通された流出室と、流入室に連通する大気口とを有し、
送水手段は、第１開閉弁と、第１開閉弁より下流側で導水管に導入口が接続され、タンクの流入口に接続された導出口から洗浄水を導出することにより、外部に連通する吸気口から空気を吸引するエゼクタと、大気口を開閉する第２開閉弁と、流出口と便鉢とを連通する送出管とを有し、
制御手段は第１開閉弁及び第２開閉弁を制御することが好ましい。
【００１１】
この場合、第２開閉弁を開閉することにより、洗浄水をタンクへ貯留したり、タンクに貯留された洗浄水を流出させたりすることができる。
【００１２】
つまり、洗浄水とともにエゼクタが吸引した空気は、タンクの流入室に流入する。この流入した空気は、第２開閉弁が開弁状態では大気口から排出されるが、閉弁状態では流入室の上部に滞留する。このため、第２開閉弁を開弁状態にすれば、タンクに空気が滞留することなく洗浄水のみが貯留される。一方、第２開閉弁を閉弁状態にすれば、タンク内の洗浄水は、流入室の上部に滞留する空気の増加にともない押し出される。このため、第２開閉弁の開閉タイミングを制御することにより、便鉢への洗浄水の単位時間当たりの供給量を任意のタイミングで増減させることができる。また、第２開閉弁は空気用の開閉弁であるため、水用の開閉弁に比べ、小型にでき、開閉動作を小さな力で行なうことができる。
【００１３】
送水手段は、エゼクタの吸気口を開閉させる第３開閉弁をさらに有しても良い。この場合、第３開閉弁を閉弁状態にすれば、エゼクタが空気を吸引しないため、エゼクタが空気を吸引する音をなくすことができる。また、これにより洗浄水中に空気が殆んど含まれないようになるため、洗浄水が便鉢に供給される際に洗浄水中の気泡が破裂して生じる破裂音等の異音の発生を防止することができる。このため、洗浄水供給装置の静粛化を図ることができる。
【００１４】
本発明の洗浄水供給装置において、大気口はタンクの上面に形成されていることが好ましい。この場合、タンクの上方から大気口を開閉する開閉弁を容易に接続することができる。
【００１５】
本発明の洗浄水供給装置において、タンクは、容器状のタンク本体と、タンク本体を上方から密閉する蓋部材とを有し、蓋部材に流入口、流出口及び大気口が形成されていることが好ましい。この場合、蓋部材が導水管、送出管及び第２開閉弁との接続部材を兼ねることとなる。このため、構造を簡略化でき、省スペース化を図ることができる。また、タンクは、タンク本体に貯留される洗浄水の最高水面より上方において蓋部材により密閉されるため、外部への漏水を防止できる。
【００１６】
本発明の洗浄水供給装置において、タンクは、便鉢の後方かつ便鉢の上面より下方に配置されていることが好ましい。この場合、便鉢の後方かつ便鉢の上面より下方の空間を有効に利用することができる。そして、このタンクを含む洗浄水供給装置、ひいては水洗式便器の便器本体以外である便器洗浄装置が便器本体の後方上面において、便鉢の上面より上方に突出する高さを低くすることができる。
【００１７】
本発明の洗浄水供給装置を組み込んだ便器洗浄装置において、便器本体の水封部の下流側に連通する便器排水路から空気を吸引する吸気装置を備え、エゼクタの吸気口を吸気装置に連通するようにしても良い。この場合、洗浄水供給装置における送水手段としてのエゼクタと、吸気装置としてのエゼクタとを同一のものにすることができる。このため、便器洗浄装置の部品点数を削減し、構造を簡略化することができる。また、便器排水路から空気を吸引することにより、少ない洗浄水で早期にサイホン作用を発生させることができる。さらに、タンクに貯留した洗浄水を適切なタイミングで便鉢へ供給することにより、確実に汚物を便器排水路へ排出することができる。
【発明を実施するための最良の形態】
【００１８】
以下、本発明の洗浄水供給装置を洋風水洗式便器に具体化した実施例を図面を参照しつつ説明する。
【００１９】
図１に示すように、この洋風水洗式便器は、便器本体１と、便器洗浄装置１００とを備えている。なお、便座及び便蓋の図示は省略する。
【００２０】
便器本体１は便鉢２の上部内周にリム３を有している。また、便器本体１には便鉢２の下端から上方に延びる上昇流路が形成され、便鉢２の下方には水封部４が形成されている。便器本体１の上昇流路は接続管と接続されており、接続管内は便器排水路５、滞留部６及び排水口７とされている。また、図７に示すように、便器本体１は、便鉢２の後方に上方が開口して左右及び後方が連続する側壁に囲まれた収納部１Ｓを有している。
【００２１】
また、図１に示すように、便器洗浄装置１００は、洗浄水供給装置１０１と、便器排水路５の吸気装置とを具備している。
【００２２】
洗浄水供給装置１０１は、水道管と接続される導水管１０と、導水管１０を開閉する第１開閉弁Ｖ１とを備えている。
【００２３】
導水管１０は、便器本体１が据え付けられるトイレルームの床面又は壁面から引き込まれた水道管の止水栓Ｖ５に連通している。また、第１開閉弁Ｖ１より上流側には、止水弁及びストレーナを内蔵するストレーナ装置１１と定流量弁１２とが設けられており、下流側にはバキューブブレーカ１３が設けられている。
【００２４】
また、バキュームブレーカ１３より下流側の導水管１０にエゼクタ３０の導入口３１が接続されている。エゼクタ３０の導出口３２にはタンク２０の流入口２１が接続され、タンク２０は貯留した洗浄水を流出口２２から流出可能になっている。タンク２０は第１開閉弁Ｖ１より下流側に接続されているため、タンク２０には静水時の水道圧がかからない。このため、タンク２０は耐圧性能の高いものにする必要がない。また、エゼクタ３０の導出口３２とタンク２０の流入口２１とを強固に接続する必要がない。
【００２５】
タンク２０は、便器本体１の収納部１Ｓ内であり、かつ便鉢２の上面より下方に配置されている。このため、タンク２０を含む洗浄水供給装置１０１、ひいては便器洗浄装置１００が便器本体１の後方上面において、便鉢２の上面より上方に突出する高さを低くすることができている。
【００２６】
タンク２０は、流入口２１に連通する流入室２５と、流入室２５と底部が連通され、流出口２２に連通する流出室２６とを有している。流入室２５には大気口２３が設けられ、ここには第２開閉弁Ｖ２が接続されている。流入室２５は、エゼクタ３０の導出口３２に連通するノズル５０から洗浄水が吐出され、旋回流が形成される旋回室２９を有する。流出口２２には、便器本体１のリム３まで延びる送出管４０が接続されている。便鉢２へ洗浄水を供給する供給路はこの経路のみである。
【００２７】
エゼクタ３０は外部に連通する吸気口３３を有している。この吸気口３３は導出口３２から洗浄水を導出することにより空気を吸引する。
【００２８】
便器排水路５の吸気装置は、以下の負圧蓄圧タンク７０及び吸引タンク８０等を有している。
【００２９】
エゼクタ３０の吸気口３３は、逆止弁１１１が設けられた第１導圧管１１０を介して負圧を蓄圧する負圧蓄圧タンク７０に接続されている。このため、洗浄水供給装置１０１の送水手段を構成するエゼクタ３０が吸気装置にも利用されていることになり、便器洗浄装置１００の部品点数が削減され、構造の簡略化が図られている。
【００３０】
逆止弁１１１より負圧蓄圧タンク７０よりの第１導圧管１１０には、途中に第３開閉弁Ｖ３が設けられて外部に連通する第２導圧管１２０が分岐されている。また、途中に第４開閉弁Ｖ４が設けられ、便器排水路５から空気を吸引する吸引タンク８０に連通する第３導圧管１３０が分岐されている。
【００３１】
吸引タンク８０の内部は、設置時の上下方向で移動可能な隔膜８３によって第１室８１と第２室８２とに区画されている。第１室８１は第３導圧管１３０に接続され、第２室８２は吸引管９０によって便器排水路５に接続されている。
【００３２】
図２に示すように、第１開閉弁Ｖ１、第２開閉弁Ｖ２、第３開閉弁Ｖ３及び第４開閉弁Ｖ４は制御装置Ｃにより開閉タイミング及び開閉時間が制御されている。第２開閉弁Ｖ２、第３開閉弁Ｖ３及び第４開閉弁Ｖ４は、空気用の開閉弁であるため、水用の開閉弁に比べ、小型にされ、開閉動作を小さな力で行なうことができるようになっている。
【００３３】
この実施例の特徴的な構成であるタンク２０についてより詳細に説明する。このタンク２０は、図３及び図４に示すように、容器状のタンク本体２７と、タンク本体２７を上方からパッキン２０ｐを挟持して密閉する蓋部材２８とを有している。
【００３４】
蓋部材２８に流入口２１、流出口２２及び大気口２３が形成されている。タンク本体２７内は、流入口２１及び大気口２３に連通する流入室２５と、流入室２５と底部で連通され、流出口２２に連通する流出室２６とを有している。このため、流入口２１にエゼクタ３０の導出口３２を接続したり、流出口２２に後述する送出管４０を接続したり、大気口２３に第２開閉弁Ｖ２を接続したりすることをタンク２０の上方から容易に行なうことができ、施工及びメンテナンスを容易に行なうことができる。また、蓋部材２８がエゼクタ３０、送出管４０及び第２開閉弁Ｖ２との接続部材を兼ねているため、構造を簡略化でき、省スペース化を図ることができる。また、タンク本体２７に貯留される洗浄水の最高水面より上方において蓋部材２８により密閉されているため、タンク２０の外部へ漏水することがない。
【００３５】
また、図５に示すように、タンク本体２７は平面視が横長楕円形状の容器である。タンク本体２７の内底面には、上方に突出する係合凸部２７ａが形成されている。タンク本体２７内には流入室２５及び流出室２６が形成されている。流入室２５内には、設置時に上下方向に延び、係合凸部２７ａと嵌合する円筒体２９ｔによって旋回室２９が構成されている。また、流出室２６は、設置時に上下方向に延び、係合凸部２７ａと嵌合する小円筒体２６ｔによって構成されている。旋回室２９の上方端部には、図３に示すように、中央部に開口６０ａを有する椀状の遮蔽板６０が係止されている。遮蔽板６０の開口６０ａは、遮蔽板６０の上方に位置する洗浄水を下方に導くとともに、旋回室２９内で洗浄水から分離される空気を遮蔽板６０の上方に導く役割を果たす。
【００３６】
旋回室２９の内部には、図４に示すように、ノズル５０が設けられている。ノズル５０は、エゼクタ３０の導出口３２に連通し、旋回室２９内で洗浄水を旋回させるように円筒体２９ｔの内面に沿って開口している。
【００３７】
また、図６に示すように、円筒体２９ｔの下端と小円筒体２６ｔの下端とは連通しており、タンク本体２７の底部で旋回室２９から流出室２６に延びる連通路２９ｒを構成している。連通路２９ｒは、旋回室２９内に生じた旋回流の勢いを利用して洗浄水が流出室２６に流入するように、円筒体２９ｔの接線方向に延びている。円筒体２９ｔの下端には流入室２５と連通する開口２９ａが形成されている。このため、流入室２５内の洗浄水は、この開口２９ａから旋回室２９内に流入し、旋回室２９内で旋回する洗浄水とともに流出室２６に流入する。
【００３８】
以上の洋風水洗式便器では、洗浄水供給装置１０１は、導水管１０、ストレーナ装置１１、定流量弁１２、第１開閉弁Ｖ１、バキューブブレーカ１３、送水手段、タンク２０及び制御装置Ｃによって構成されている。このうち、タンク２０に貯留された洗浄水を便鉢２に送り出す送水手段は、導水管１０、第１開閉弁Ｖ１、エゼクタ３０、ノズル５０、第２開閉弁Ｖ２、送出管４０、第１導圧管１１０、第２導圧管１２０及び第３開閉弁Ｖ３によって構成されている。便器排水路５の吸気装置は、エゼクタ３０、第１導圧管１１０、逆止弁１１１、負圧蓄圧タンク７０、第２導圧管１２０、第３開閉弁Ｖ３、第３導圧管１３０、第４開閉弁Ｖ４、吸引タンク８０、吸引管９０及び制御装置Ｃによって構成されている。
【００３９】
したがって、実施例の洗浄水供給装置１０１は、コンパクトで、施工及びメンテナンスを容易に行なうことができる。
【００４０】
次に、本発明の洗浄水供給装置１０１を組み込んだ便器洗浄装置１００の作動について説明する。
【００４１】
［非洗浄時（図１）］
図１４において、ｔ１時点によりも前の非洗浄時には、第１開閉弁Ｖ１、第２開閉弁Ｖ２、第３開閉弁Ｖ３及び第４開閉弁Ｖ４は閉弁している。この状態では、タンク２０内には洗浄水が貯留されている。吸引タンク８０内の隔膜８３は吸引タンク８０内の下内壁面に当接している。
【００４２】
［便鉢洗浄行程・負圧蓄圧行程（図８）］
用便後、図１４のｔ１時点において、制御装置Ｃに便器洗浄の開始信号を送信する洗浄スイッチを使用者が操作することにより、制御装置Ｃによって第１開閉弁Ｖ１が開弁する。
【００４３】
これにより、導水管１０内を流れる洗浄水はエゼクタ３０を通って旋回室２９内に流入する。エゼクタ３０内を洗浄水が流れることにより、エゼクタ３０が負圧蓄圧タンク７０内の空気を第１導圧管１１０及び逆止弁１１１を介して吸引し、吸引された空気は洗浄水とともに旋回室２９内に流入する。旋回室２９内では洗浄水が旋回するため、洗浄水中の空気は、良好に分離され、流入室２５の上部に蓄積される。これにより、負圧蓄圧タンク７０内に負圧が徐々に蓄積されるとともに、負圧蓄圧タンク７０から吸引した空気の分だけ流入室２５の水面が徐々に下がる。
【００４４】
また、導水管１０から供給された洗浄水と、タンク２０内に貯留され、負圧蓄圧タンク７０から吸引した空気に応じた量の洗浄水とが送出管４０を介してリム３に供給される。リム３に供給された洗浄水は便鉢２の内面に沿って旋回しながら流れ落ち、便鉢２内に旋回流が形成される。この旋回流により、汚物は便鉢２の中央に集められる。なお、この旋回流により、ペーパーは、ほぐれて洗浄水となじみ、洗浄水中に分散する。
【００４５】
［吸気行程（図９）］
図１４のｔ２時点において、制御装置Ｃによって第４開閉弁Ｖ４が開弁される。これにより、負圧蓄圧タンク７０内の負圧が第１導圧管１１０、第３導圧管１３０及び第４開閉弁Ｖ４を介して吸引タンク８０の第１室８１に伝達され、第１室８１内が負圧になる。また、エゼクタ３０内には引き続き洗浄水が供給されているため、エゼクタ３０によっても第１室８１内の空気が吸引される。これにより、吸引タンク８０内の隔膜８３は、第４開閉弁Ｖ４が開弁された当初は負圧蓄圧タンク７０内の負圧により急激に引き上げられ、その後、エゼクタ３０により吸引タンク８０の上内壁面に当接するまで緩やかに引き上げられる。
【００４６】
吸引タンク８０により便器排水路５内の空気を第２室８２に吸引する際には、便鉢２内の水位はリム３から供給された洗浄水によって十分に高くなっており、水封部４の最高位部４ａとの間の水頭差が十分に大きなものとなっている。このため、便鉢２内の洗浄水は、この水頭差と便器排水路５内の空気の吸引とにより、早期に便器排水路５内が洗浄水で満水状態になって強力なサイホン作用が発生し、少ない洗浄水で早期に排出流が形成される。
【００４７】
この際、便鉢２内に形成された旋回流により便鉢２の中央に集められた汚物は、サイホン作用により便器排水路５へ排水される洗浄水に伴って、便器排水路５へ確実に排出される。
【００４８】
また、便器排水路５は、滞留部６によって下流側と封鎖され、便器排水路５は水封部４と滞留部６との間に存在する閉空間にされている。このため、確実に便器排水路５から一定量の空気を吸引することができるため、サイホン作用を安定して発生させることができる。
【００４９】
また、吸引タンク８０内が隔膜８３によって第１室８１と第２室８２とに区画され、第２室８２のみが便器排水路５と連通しているため、汚物を含んだ洗浄水や臭気を含んだ空気等が負圧蓄圧タンク７０やエゼクタ３０側へ入り込むことを確実に防止している。
【００５０】
［洗浄水増加行程（図１０）」
図１４のｔ３時点において、便鉢２の水位は便鉢２後部の最低位部２ａの高さ近傍にまで低下しており、この瞬間、制御装置Ｃによって第３開閉弁Ｖ３を開弁し、第４開閉弁Ｖ４を閉弁する。
【００５１】
この際、いまだエゼクタ３０内に洗浄水が供給されているため、外部の大量の空気が第３開閉弁Ｖ３、第２導圧管１２０及び第１導圧管１１０を介して旋回室２９内に流入する。このため、流入室２５内の洗浄水は、流入した大量の空気により流出室２６及び送出管４０を介してリム３に押し出される。これにより、流入室２５内の水位は急激に大きく低下する。
【００５２】
便鉢２内の水位が便鉢２後部の最低位部２ａより低くなり、便器排水路５に便鉢２から空気が流入してサイホン作用が終了する前において、こうしてリム３に供給される洗浄水が増加する。つまり、リム３から供給される洗浄水は、導水管１０から供給される洗浄水とタンク２０に貯留されていた洗浄水とを加えたものであるため、便鉢２への単位時間当たりの洗浄水の供給水量は多くなっている。このため、水封部４は破封せず、便鉢２内の洗浄水は旋回を継続し、サイホン作用も継続する。また、便鉢２内の旋回流も強力になる。さらに、洗浄水の水勢も増加する。このため、便鉢２内に残留する汚物は、便器排水路５内へ押し出されるようにより確実に排出される。
【００５３】
［隔膜の戻し行程（図１１）］
図１４のｔ４時点において、制御装置Ｃによって第１開閉弁Ｖ１を閉弁し、第４開閉弁Ｖ４を開弁する。これにより、吸引タンク８０の第１室８１が第４開閉弁Ｖ４、第３導圧管１３０、第１導圧管１１０、第２導圧管１２０及び第３開閉弁Ｖ３を介して外部と連通するため、第１室８１内が大気圧になり、隔膜８３が下降する。このため、便器排水路５内に第２室８２から空気が徐々に押し込まれ、便器排水路５内において徐々に空気が増加する。このため、便器排水路５を洗浄水で満水にする状態が維持できず、サイホン作用が終了する。
【００５４】
［覆水行程（図１２）］
図１４のｔ５時点において、制御装置Ｃによって第１開閉弁Ｖ１及び第２開閉弁Ｖ２を開弁し、第４開閉弁Ｖ４を閉弁する。これにより、エゼクタ３０が外部から空気を吸引しながら旋回室２９に洗浄水が流入する。洗浄水中の空気は、旋回室２９内で良好に分離され、大気口２３、第２開閉弁Ｖ２を介して外部に放出される。このため、タンク２０内の洗浄水は洗浄開始前の所定の水位まで蓄積される。また、流出室２６から送出管４０を介して洗浄水がリム３に供給され、便鉢２内に洗浄水が溜まり覆水する。
【００５５】
［大気開放行程（図１３）］
図１４のｔ６時点において、制御装置Ｃによって第１開閉弁Ｖ１が閉弁し、第４開閉弁Ｖ４が開弁する。これにより、再度、吸引タンク８０の第１室８１が第４開閉弁Ｖ４、第３導圧管１３０、第１導圧管１１０、第２導圧管１２０及び第３開閉弁Ｖ３を介して外部と連通し、隔膜８３が吸引タンク８０の下内壁面に当接するまで下降する。この結果、隔膜８３が洗浄前の所定の位置に戻され、次回の洗浄を安定して行なうことができる。その後、図１４のｔ７時点において、制御装置Ｃによって第２開閉弁Ｖ２、第３開閉弁Ｖ３及び第４開閉弁Ｖ４が閉弁される。
【００５６】
上記実施例は本発明の一例であり、本発明は上記実施例に限定されるものではない。
【００５７】
例えば、図１４のｔ５時点において、制御装置Ｃによって第３開閉弁Ｖ３を閉弁してもよい。この場合、洗浄水がエゼクタ３０を通過する際に空気を吸引しないため、エゼクタ３０が空気を吸引する音をなくすことができる。また、洗浄水中に空気が殆んど含まれないようになるため、覆水のため便鉢２に供給される洗浄水中の気泡が破裂して生じる破裂音等の異音の発生を防止することができる。
【産業上の利用可能性】
【００５８】
本発明は水洗式便器に利用可能である。
【図面の簡単な説明】
【００５９】
【図１】実施例の洗浄水供給装置を備えた洋風水洗式便器の模式図である。
【図２】実施例の洗浄水供給装置の制御装置を示す模式図である。
【図３】実施例の洗浄水供給装置のタンクを示す断面図である。
【図４】実施例の洗浄水供給装置のタンクの要部を示す断面図である。
【図５】図３のＡ−Ａ矢視断面図である。
【図６】図３のＢ−Ｂ矢視断面図である。
【図７】便器本体に実施例の洗浄水供給装置のタンクを組み込んだ状態を示す概略図である。
【図８】実施例の洋風水洗式便器が便鉢洗浄・負圧蓄圧行程にあるときの作動状態を示す模式図である。
【図９】実施例の洋風水洗式便器が吸気行程にあるときの作動状態を示す模式図である。
【図１０】実施例の洋風水洗式便器が洗浄水増加行程にあるときの作動状態を示す模式図である。
【図１１】実施例の洋風水洗式便器が隔膜の戻し行程にあるときの作動状態を示す模式図である。
【図１２】実施例の洋風水洗式便器が覆水行程にあるときの作動状態を示す模式図である。
【図１３】実施例の洋風水洗式便器が大気開放行程にあるときの作動状態を示す模式図である。
【図１４】実施例の洋風水洗式便器の作動を説明するタイミングチャートである。
【符号の説明】
【００６０】
１…便器本体
２…便鉢
１０…導水管
２０…タンク
２１…流入口
２２…流出口
２３…大気口
２５…流入室
２６…流出室
２７…タンク本体
２８…蓋部材
３１…導入口
３３…吸気口
Ｖ１…第１開閉弁
３０、４０、５０、Ｖ２、１１０、１２０、Ｖ３…送水手段（３０…エゼクタ、４０…送出管、５０…ノズル、Ｖ２…第２開閉弁、１１０…第１導圧管、１２０…第２導圧管、Ｖ３…第３開閉弁）
Ｃ…制御装置
【図１】
2008223356.tif 000003
【図２】
2008223356.tif 000004
【図３】
2008223356.tif 000005
【図４】
2008223356.tif 000006
【図５】
2008223356.tif 000007
【図６】
2008223356.tif 000008
【図７】
2008223356.tif 000009
【図８】
2008223356.tif 000010
【図９】
2008223356.tif 000011
【図１０】
2008223356.tif 000012
【図１１】
2008223356.tif 000013
【図１２】
2008223356.tif 000014
【図１３】
2008223356.tif 000015
【図１４】
2008223356.tif 000016